(57)【要約】【課題】騒音を気にする時間帯で掃除を行うときに選択される低出力で運転している電動送風機を停止させたとき、自動的に徐塵を行わないようにして徐塵による騒音が発生しないようにする電気掃除機を提供する。【解決手段】マイクロコンピュータ２９は、強モードで運転している電動送風機２が操作部６により停止されたとき自動的に除塵モータ４０を運転し、電動送風機２を中モード或いは弱モードで運転しているときに操作部６により停止された場合は除塵モータ４０の運転を行わないようにしている。【選択図】図５
2010068986.tif 000002
【特許請求の範囲】
【請求項１】
吸引風を発生して吸込み具より塵埃を吸引し本体内に取り込む電動送風機と、
前記電動送風機により吸引された塵埃を集塵する集塵室と、
前記集塵室に設けられた１次フィルタ部と、
前記１次フィルタ部を通過した塵埃を除去する微細フィルタを有する２次フィルタ部と、
前記２次フィルタ部の微細フィルタに付着した塵埃を除去する除塵手段と、
前記除塵手段の動作を制御する除塵制御手段とを備え、
前記除塵制御手段は、最高出力より低い出力で吸引風を発生している前記電動送風機が停止されたとき、前記除塵手段を動作させないようにすることを特徴とする電気掃除機。
【請求項２】
吸引風を発生して吸込み具より塵埃を吸引し本体内に取り込む電動送風機と、
前記電動送風機により吸引された塵埃を集塵する集塵室と、
前記集塵室に設けられた１次フィルタ部と、
前記１次フィルタ部を通過した塵埃を除去する微細フィルタを有する２次フィルタ部と、
前記２次フィルタ部の微細フィルタに付着した塵埃を除去する除塵手段と、
前記除塵手段の動作を制御する除塵制御手段とを備え、
前記除塵制御手段は、最低出力で吸引風を発生している前記電動送風機が停止されたとき、前記除塵手段を動作させないようにすることを特徴とする電気掃除機。
【請求項３】
吸引風を発生して吸込み具より塵埃を吸引し本体内に取り込む電動送風機と、
前記電動送風機により吸引された塵埃を集塵する集塵室と、
前記集塵室に設けられた１次フィルタ部と、
前記１次フィルタ部を通過した塵埃を除去する微細フィルタを有する２次フィルタ部と、
前記２次フィルタ部の微細フィルタに付着した塵埃を除去する除塵手段と、
前記除塵手段の動作を制御する除塵制御手段とを備え、
前記除塵制御手段は、通常の運転モードと異なるナイトモードの出力で吸引風を発生している前記電動送風機が停止されたとき、前記除塵手段を動作させないようにすることを特徴とする電気掃除機。
【請求項４】
吸引風を発生して吸込み具より塵埃を吸引し本体内に取り込む電動送風機と、
前記電動送風機により吸引された塵埃を集塵する集塵室と、
前記集塵室に設けられた１次フィルタ部と、
前記１次フィルタ部を通過した塵埃を除去する微細フィルタを有する２次フィルタ部と、
前記２次フィルタ部の微細フィルタに付着した塵埃を除去する除塵手段と、
前記除塵手段の動作を制御する除塵制御手段とを備え、
前記除塵制御手段は、床面の種類に応じた出力で吸引風を発生している前記電動送風機が停止されたとき、前記除塵手段を動作させないようにすることを特徴とする電気掃除機。
【発明の詳細な説明】
【技術分野】
【０００１】
本発明は、吸込み具から吸引した塵埃などを除去するフィルタを自動的にメンテナンスする機構を備えた電気掃除機に関するものである。
【背景技術】
【０００２】
従来の電気掃除機には、集塵室と電動送風機との間の連通口の付近に除塵手段を設けたものがある。除塵開始用のスイッチを操作することによって除塵手段が振動し、この振動により連通口付近に付着した塵埃をはたき落としている（例えば、特許文献１参照）。
【０００３】
【特許文献１】特開２００４−１３５９５８号公報（第６−７頁、図２）
【発明の開示】
【発明が解決しようとする課題】
【０００４】
しかしながら、前述した従来の電気掃除機では、徐塵手段の動作を停止させるためには使用者が徐塵停止用のスイッチを押す必要があり、使用者が徐塵停止用のスイッチを押下するまでの間は、徐塵手段が振動しているため、騒音を気にする時間帯に掃除をするときに徐塵手段の振動音がわずらわしく感じるという課題があった。
【０００５】
本発明は、前記のような課題を解決するためになされたもので、騒音を気にする時間帯で掃除を行うときに選択される低出力で運転している電動送風機を停止させたとき、自動的に徐塵を行わないようにして徐塵による騒音が発生しないようにすると共に、消費電力の節約が可能な電気掃除機を得ることを目的とする。
【課題を解決するための手段】
【０００６】
本発明に係る電気掃除機は、吸引風を発生して吸込み具より塵埃を吸引し本体内に取り込む電動送風機と、電動送風機により吸引された塵埃を集塵する集塵室と、集塵室に設けられた１次フィルタ部と、１次フィルタ部を通過した塵埃を除去する微細フィルタを有する２次フィルタ部と、２次フィルタ部の微細フィルタに付着した塵埃を除去する除塵手段と、除塵手段の動作を制御する除塵制御手段とを備え、除塵制御手段は、最高出力より低い出力で吸引風を発生している電動送風機が停止されたとき、除塵手段を動作させないようにする。
【発明の効果】
【０００７】
本発明に係る電気掃除機によれば、最高出力より低い出力で吸引風を発生している電動送風機が停止されたとき、除塵手段を動作させないようにしたので、除塵のための操作の煩わしさがなくなり、騒音を気にする時間帯で掃除を行うときに選択される低出力での運転後の除塵による騒音をなくすことができる。
【発明を実施するための最良の形態】
【０００８】
実施の形態１．
図１は本発明の実施の形態１に係る電気掃除機の外観を示す斜視図、図２は電気掃除機の掃除機本体を上から見て示す断面図である。
実施の形態１の電気掃除機は、図１に示すように、電動送風機２、集塵室４及び２次フィルタ部５を有する掃除機本体１と、掃除機本体１の接続部７に着脱可能に連結されたホース３と、このホース３に着脱可能に連結された延長管９と、延長管９の先端に着脱可能に取り付けられた吸込み具８と、商用電源を掃除機本体１に供給するための電源プラグ１０とを備えている。吸込み具８は、床面の塵埃等を吸引するためのもので、回転ブラシ、回転ブラシを回転させるブラシモータ、吸込み具８が床面から持ち上げられたときにブラシモータの駆動を停止する安全スイッチ等を備えている。ホース３には、例えば３本のピアノ線が内蔵されており、吸引風の強弱を選択するための各種スイッチ、停止スイッチ等を有する操作部６が設けられている。なお、操作部６については後述する。
【０００９】
掃除機本体１には、図２に示すように、接続部７を介してホース３と連通する本体吸気口１１と、本体吸気口１１に連通する連結風路１２と、連結風路１２の２次フィルタ部５側の壁面に穿設された複数の孔からなるバイパス風路１７とが設けられている。連結風路１２の下流側には１次フィルタ部１３を有する集塵室４が設けられ、１次フィルタ部１３の下流側には前述の２次フィルタ部５が取り付けられ、２次フィルタ部５の下流側には電動送風機２が設置されている。１次フィルタ部１３は、サスメッシュ等を用いて形成され、比較的大きなゴミを除去するフィルタである。２次フィルタ部５は、例えば円錐台状に形成され、その周面には、ＨＥＰＡ（High  Efficiency  Particulate  Air）フィルタ等を用いたプリーツ状の微細フィルタ１４が形成され、１次フィルタ部１３を通過した微細な塵埃を除去する。この２次フィルタ部５は、近傍に配置された除塵モータによって回転するように構成されている。なお、２次フィルタ部５の外観形状を円錐台としたが、円柱状でもよい。
【００１０】
また、掃除機本体１には、２次フィルタ部５を覆うカバー１６と、このカバー１６にプリーツ状の微細フィルタ１４に当たるように取り付けられた除塵板１５とが設けられている。除塵板１５は、例えば弾性を有する板である。この除塵板１５と前述の除塵モータとで除塵手段が構成されている。前述したバイパス風路１７は、本体吸気口１１に流入された吸引風の一部を直接２次フィルタ部５へ送り込む役割を果たしている。なお、バイパス風路１７は必ずしも設けなくともよい。また、連結風路１２にサイクロン分離構造を形成し、バイパス風路１７への塵埃の流入を抑制する構成をとってもよい。サイクロン分離構造とは、旋回気流を発生させ、遠心力を利用して空気と塵埃を分離させるものである。
【００１１】
ここで、図２を参照して吸引風の流れについて説明する。
（１）本体吸気口１１から掃除機本体１内に流入した吸引風は、カバー１６の正面に衝突し、連結風路１２を介してカバー１６の側面に迂回するようにガイドされる。
（２）連結風路１２の壁面にバイパス風路１７を設けている場合は、吸引風の一部はこれを通過して２次フィルタ部５に達する。
（３）連結風路１２を通過した吸引風は、連結風路１２の下流側に設けられた集塵室４に到達し、１次フィルタ部１３を通過する。この時、比較的大きなゴミは、１次フィルタ部１３で除去され、そのまま集塵室４に蓄積される。
（４）１次フィルタ部１３を通過した吸引風は、２次フィルタ部５に到達する。２次フィルタ部５の周面に設けられた微細フィルタ１４により、１次フィルタ部１３を通過した微細な塵埃が除去される。
（５）２次フィルタ部５を通過した吸引風は、２次フィルタ部５の下流側に設置された電動送風機２に吸い込まれ、外部に排出される。
【００１２】
次に、図３を用いて２次フィルタ部５周辺の構成について説明する。
図３は実施の形態１に係る電気掃除機の２次フィルタ部周辺の構成を示す斜視図である。
円錐台状の２次フィルタ部５は、例えば開口面が下流側に設置された電動送風機２と対向する有底筒状のカバー１６内に収納されている。カバー１６の周面のうち１次フィルタ部１３と対向する面は、風路を介して１次フィルタ部１３と連通されている。また、カバー１６の周面のうち下側の面には、カバー１６内を自然落下する塵埃を外部に排出する塵戻し口１８が設けられ、この塵戻し口１８は風路１９と連通され、さらに、風路１９は連結風路１２に連通している。塵戻し口１８より自然落下してカバー１６の外に排出された塵埃は、風路１９を介して連結風路１２に戻される。その後、吸引風の流れにしたがって再び１次フィルタ部１３と２次フィルタ部５を介して除去される。微細な塵埃は、この一連の流れを繰り返すことで、最終的に集塵室４内に蓄積される。
【００１３】
このように、カバー１６の下方に設けられた風路１９により、塵埃が必ず１次フィルタ部１３の上流にある集塵室４に集積されることになるため、１次フィルタ部１３と２次フィルタ部５とで個別に集塵室を設ける必要がなく、掃除機本体１の小型化を図ることができる。また、カバー１６内を自然落下する塵埃は塵戻し口１８より排出されるため、塵埃排出のための機構を新たに設ける必要がなく、製造の簡易化などの観点から有利である。
【００１４】
なお、風路１９の一方の端部は、前述の通り連結風路１２に連通しているが、もう一方の端部は、必ずしもいずれかの部分に連通していなくともよく、例えばカバー１６、もしくは掃除機本体１の筐体で遮断してもよい。あるいは、風路１９内の通気を良くするために、本体吸気口１１の近傍に連通させるように構成することもできる。このように構成すれば、本体吸気口１１より流入する吸引風の一部は風路１９内の塵埃を巻き込んで連結風路１２に向かうため、風路１９内に蓄積した塵埃も除去できる。また、風路１２を介さず、直接連結風路１２に塵戻し口１８を形成してもよい。
【００１５】
ここで、掃除機本体内に流入した吸引風の流れについて図４を用いて説明する。図４は２次フィルタ部周辺をより立体的に示す斜視図である。
本体吸気口１１から掃除機本体内に流入した吸引風は、同図（ａ）に太線矢印で示すように、連結風路１２を通過し、集塵室４に達する。続いて１次フィルタ部１３により粗いゴミを除去された後、２次フィルタ部５により細かな塵埃が除去され、電動送風機２に向かって進行する。この時、カバー１６内に流入した吸引風の一部は、同図（ｂ）に太線矢印で示すように、カバー１６の塵戻し口１８から風路１９内に流れる。そして、風路１９に連通された連結風路１２に戻され、同図（ａ）と同様に１次フィルタ部１３を介して２次フィルタ部５に至る。
【００１６】
２次フィルタ部５は、運転を重ねるにつれて微細フィルタ１４に塵埃が蓄積されるため、次第にフィルタ自体の性能や吸気効率が低下していく場合がある。こうした事態を回避するため、２次フィルタ部５に除塵板１５により振動を与えて、微細フィルタ１４に付着した塵埃を振るい落とすなどのメンテナンスを行う。この振るい落とされた塵埃は、塵戻し口１８よりカバー１６の外に排出され、風路１９に至る。
【００１７】
次に、実施の形態１に係る電気掃除機の回路構成について図５を用いて説明する。図５は実施の形態１に係る電気掃除機の回路図である。
商用電源３０と接続される１５Ａ電流ヒューズ３１は、例えば電動送風機２の回転ロックにより回路上に流れる異常電流を遮断する保護装置である。４Ａ電流ヒューズ３２は、例えばブラシモータ３７の回転ロックにより回路上に流れる異常電流を遮断する保護装置である。直流電源装置３４は、入力側が電源間に直列に接続された電解コンデンサＣ１とダイオードＤ１の接続点に接続され、出力側から所定の直流電圧（ＤＣ１２Ｖ）を出力する。定電圧電源３５は、入力側が電解コンデンサＣ２に接続され、出力側から所定の定電圧（ＤＣ５Ｖ）を出力する。前述の電解コンデンサＣ２は定電圧電源３５の発振を押さえるためのコンデンサである。定電圧電源３５の出力とグランドとの間に接続された電解コンデンサＣ３は、定電圧電源３５の出力を安定化させるためのコンデンサである。定電圧電源３５は、マイクロコンピュータ２９（以下、「マイコン２９」という）と操作部６に５Ｖ電圧を供給している。
【００１８】
電動送風機２駆動用のトライアック３３（双方向サイリスタ）は、マイコン３２からの制御信号に基づいて電動送風機２に交流電流を供給する制御素子である。ブラシモータ３７駆動用のトライアック（双方向サイリスタ）３６は、マイコン３２からのＯＮ／ＯＦＦ信号に基づいてブラシモータ３７に１００Ｖの電圧を供給する制御素子である。安全スイッチ３８は、前述したように吸込み具８が床面から持ち上げられたときにブラシモータ３７の駆動を停止させる。
【００１９】
ホース３に設けられた操作部６は、定電圧電源３５の出力（５Ｖ）とマイコン２９の入力との間にそれぞれ挿入された抵抗Ｒ１〜Ｒ４と、各抵抗Ｒ１〜Ｒ４にそれぞれ直列に接続されたスイッチＳＷ１〜ＳＷ３とで構成されている。抵抗Ｒ１〜Ｒ４と、マイコン３２の入力端及びグランドの間に挿入された抵抗Ｒ５とのスイッチ操作による組み合わせからマイコン２９に印加される電圧が異なる。この異なる電圧によって、マイコン２９は何れのスイッチＳＷ１〜ＳＷ３が選択されたかを判定している。スイッチＳＷ１は、図６に示すように、ブラシモータ３７をＯＮ／ＯＦＦさせるスイッチであり、スイッチＳＷ２は、電動送風機２の運転モードの強・中・弱を選択するスイッチである。１回押したときは強モードが選択され、強モードが選択されているときにもう一回押したときは中モードに切り替わり、さらに、３回目を押したときは中モードから弱モードに切り替わる。スイッチＳＷ３は、電動送風機２の運転を停止させるスイッチである。
【００２０】
ベースがマイコン２９の出力側に接続されてたトランジスタＴＲ１は、マイコン２９からのＯＮ／ＯＦＦ信号に基づいて除塵用モータ４０に直流電圧１２Ｖを供給して駆動したり停止させるスイッチング素子である。除塵モータ４０は、例えば複数の歯車を介して２次フィルタ部５の軸と連結され、前述のトランジスタＴＲ１がＯＮしたときに２次フィルタ部５を回転させる。この２次フィルタ部５が回転したときは、前述の除塵板１５がプリーツ状の微細フィルタ１４に当たって、その微細フィルタ１４の凹みの部分に付着した塵埃を落とす。マイコン２９の出力側に設けられた報知手段３９は、例えば液晶表示部からなり、徐塵モータ４０の駆動を行わない旨を表示する。この表示は、マイコン２９からの情報に基づくもので、電動送風機２の運転モードが「中」又は「弱」の場合に表示される。
【００２１】
前述のマイコン２９は、動作を説明する際に詳述するが、操作部６からの電圧より何れのスイッチＳＷ１〜ＳＷ３が選択されたかを判定し、その結果に基づいてブラシモータ３７の運転／停止、電動送風機２の運転モード（強・中・弱）、電動送風機２の停止を判定する。また、このマイコン２９は、運転モードが強より低い中或いは弱の何れかのモードで吸引風を発生している電動送風機２が停止されたとき、除塵モータ４０を運転させないようにする除塵制御手段を備えている。
【００２２】
前記のように構成された電気掃除機の動作を図７のフローチャートに基づいて説明する。図７は実施の形態１に係る電気掃除機の動作を示すフローチャートである。
掃除機本体１の電源プラグ１０とコンセントとの接続により電源が投入されると（Ｓ１）、マイコン２９は、操作部６が操作されたかどうかを判定する（Ｓ２）。操作部６からの入力電圧を検知したときは、その入力電圧から強スイッチ（スイッチＳＷ２の強）が操作されたかどうかを判定する（Ｓ３）。入力電圧から強スイッチと判定したときは、除塵モータ４０の運転設定を行い（Ｓ４）、次いで、電動送風機２が強モードで運転されるようにトライアック３３を制御する（Ｓ５）。そして、この強モードによる電動送風機２の運転を強スイッチ以外のスイッチが操作されるまで保持する（Ｓ６）。前述の除塵モータ４０の運転設定とは、電動送風機２の運転停止時に自動的に動作させるための設定である。
【００２３】
また、マイコン２９は、操作部６からの入力電圧より、中スイッチ或いは弱スイッチ（スイッチＳＷ２の中又は弱）が操作されたことを検知したときは（Ｓ７、Ｓ１０）、除塵モータ４０に対し停止設定を行い（Ｓ８、Ｓ１１）、次いで、電動送風機２が中モード或いは弱モードで運転されるようにトライアック３３を制御する（Ｓ９、Ｓ１２）。そして、中モード或いは弱モードによる電動送風機２の運転を中スイッチ或いは弱スイッチ以外のスイッチが操作されるまで保持する（Ｓ６）。前述の除塵モータ４０の停止設定とは、電動送風機２の運転を停止した際に除塵モータ４０を運転させない設定である。
【００２４】
マイコン２９は、電動送風機２の運転中に切スイッチ（スイッチＳＷ３）の操作を入力電圧から検知すると（Ｓ１３）、強モードの運転中からの切りかどうかを判定する（Ｓ１４）。強モードの運転からの切りと判定したときは、トライアック３３をＯＦＦして電動送風機２の運転を停止し（Ｓ１５）、トランジスタＴＲ１をＯＮして除塵モータ４０の運転を開始する（Ｓ１６）。この時、除塵モータ４０の運転に連動して２次フィルタ部５が回転するため、２次フィルタ部５のプリーツ状の微細フィルタ１４に除塵板１５が当たり、微細フィルタ１４の凹みの部分に付着した塵埃を落下させる。この落下した塵埃は、カバー１６の塵戻し口１８から風路１９に至り、本体吸気口１１に流入した吸引風により誘引されて１次フィルタ部１３に至る。一方、マイコン２９は、除塵動作時間が経過したかどうかを判定しており（Ｓ１７）、除塵動作時間の経過を検知したときは、トランジスタＴＲ１をＯＦＦして除塵モータ４０の運転を停止し（Ｓ１８）、前述した動作を終了する（Ｓ１９）。
【００２５】
また、マイコン２９は、Ｓ１４において、切スイッチ（スイッチＳＷ３）の操作が強モードの運転中からでないと判定したときは、中モードの運転中からの切りかどうかを判定する（Ｓ２０）。切スイッチの操作が中モードの運転中からと判定したときは、トライアック３３をＯＦＦして電動送風機２の運転を停止する（Ｓ２２）。この場合、除塵モータ４０の停止設定を行っているため、除塵モータ４０の運転を行うことなく前述の動作を終了する（Ｓ１９）。さらに、Ｓ２０において、切スイッチの操作が中モードの運転中からでないと判定したときは、弱モードの運転中からの切りかどうかを判定する（Ｓ２１）。切スイッチの操作が弱モードの運転中からと判定したときは、前記と同様にトライアック３３をＯＦＦして電動送風機２の運転を停止する（Ｓ２２）。この場合も、除塵モータ４０の停止設定を行っているため、除塵モータ４０の運転を行うことなく前述の動作を終了する（Ｓ１９）。
【００２６】
以上のように実施の形態１によれば、強モードで運転している電動送風機２を停止させたとき自動的に除塵モータ４０を運転し、電動送風機２を中モード或いは弱モードで運転しているときに停止させた場合は除塵モータ４０の運転を行わないようにしているので、除塵のための操作の煩わしさがなくなり、騒音を気にする時間帯で掃除を行うときに選択される中モード或いは弱モードでの運転後の除塵による騒音をなくすことができる。また、中モード或いは弱モードでの運転後には自動的に除塵を行わないようにしているので、電力消費の節約も可能になる。
【００２７】
実施の形態２．
実施の形態１では、強モード以外の中モード或いは弱モードで運転している電動送風機２を停止させたとき、自動的に除塵モータ４０の運転を行わないようにしたが、実施の形態２は、弱モードで運転している電動送風機２を停止させたとき、自動的に除塵モータ４０の運転を行わないようにしたものである。なお、実施の形態２に係る電気掃除機の構成は、図１〜図５で説明した実施の形態１と同様である。
【００２８】
実施の形態２の電気掃除機のマイコン２９は、強モード或いは中モードで電動送風機２を運転する際、除塵モータ４０の運転設定を行い、その何れかのモードで電動送風機２を運転しているときに切スイッチの操作を検知したときは、電動送風機２の運転を停止した後に除塵モータ４０の運転を開始する。また、このマイコン２９は、弱モード（最低出力）で吸引風を発生している電動送風機２が停止されたとき、除塵モータ４０を動作させないようにする除塵制御手段を備えている。
【００２９】
次に、実施の形態２の動作を図８のフローチャートに基づいて説明する。
図８は実施の形態２に係る電気掃除機の動作を示すフローチャートである。なお、図７で説明した実施の形態１のフローチャートと異なる部分を説明する。
マイコン２９は、操作部６からの入力電圧より、中スイッチ（スイッチＳＷ２の中）が操作されたことを検知すると（Ｓ７）、除塵モータ４０の運転設定を行い（Ｓ８−１）、電動送風機２が中モードで運転されるようにトライアック３３を制御する（Ｓ９）。中モードで電動送風機２を運転しているときに、切スイッチ（スイッチＳＷ１）の操作を入力電圧から検知すると（Ｓ１３）、強モードの運転中からの切りかどうかを判定する（Ｓ１４）。強モードからの切りではないと判定したときは、中モードの運転中からの切りかどうかを判定する（Ｓ２０）。中モードからの切りと判定したときは、トライアック３３をＯＦＦして電動送風機２の運転を停止し（Ｓ１５）、トランジスタＴＲ１をＯＮして除塵モータ４０の運転を開始する（Ｓ１６）。この時、除塵モータ４０の運転に連動して２次フィルタ部５が回転するため、２次フィルタ部５のプリーツ状の微細フィルタ１４に除塵板１５が当たり、微細フィルタ１４の凹みの部分に付着した塵埃を落下させる。一方、マイコン２９は、除塵動作時間が経過したかどうかを判定しており（Ｓ１７）、除塵動作時間の経過を検知したときは、トランジスタＴＲ１をＯＦＦして除塵モータ４０の運転を停止し（Ｓ１８）、前述した動作を終了する（Ｓ１９）。
【００３０】
以上のように実施の形態２によれば、強モードで運転している電動送風機２を停止させたとき、また、中モードで運転している電動送風機２を停止させたとき自動的に除塵モータ４０を運転し、電動送風機２を弱モードで運転しているときに停止させた場合は除塵モータ４０の運転を行わないようにしているので、除塵のための操作の煩わしさがなくなり、騒音を気にする時間帯で掃除を行うときに選択される弱モードでの運転後の除塵による騒音をなくすことができる。また、弱モードでの運転後には自動的に除塵を行わないようにしているので、電力消費の節約も可能になる。
【００３１】
実施の形態３．
図９は本発明の実施の形態３に係る電気掃除機の操作部を示す斜視図である。なお、実施の形態３に係る電気掃除機の構成は、図１〜図５で説明した実施の形態１と同様である。
図中に示す操作部６は、実施の形態１と同様にホース３に設けられている。この操作部６のスイッチＳＷ１は、ブラシモータ３７をＯＮ／ＯＦＦさせるスイッチであり、スイッチＳＷ２は、電動送風機２を強モードで運転させるスイッチである。スイッチＳＷ３は、弱モード或いはナイトモードの何れかを選択するためのスイッチで、１回押したときは弱モードが選択され、もう一回押したときは弱モードからナイトモードに切り替わる。スイッチＳＷ４は、電動送風機２の運転を停止させるスイッチである。
【００３２】
実施の形態３の電気掃除機のマイコン２９は、強モード或いは弱モードで電動送風機２を運転する際、除塵モータ４０の運転設定を行い、その何れかのモードで電動送風機２を運転しているときに切スイッチの操作を検知したときは、電動送風機２の運転を停止した後に除塵モータ４０の運転を開始する。また、このマイコン２９は、ナイトモードで吸引風を発生している電動送風機２が停止されたとき、除塵モータ４０を動作させないようにする除塵制御手段を備えている。
【００３３】
次に、実施の形態３の動作を図１０のフローチャートに基づいて説明する。
図１０は実施の形態３に係る電気掃除機の動作を示すフローチャートである。なお、図７で説明した実施の形態１のフローチャートと異なる部分を説明する。
マイコン２９は、操作部６からの入力電圧より、弱スイッチ（スイッチＳＷ３の弱）が操作されたことを検知すると（Ｓ７−１）、除塵モータ４０の運転設定を行い（Ｓ８−１）、電動送風機２が弱モードで運転されるようにトライアック３３を制御する（Ｓ９−１）。弱モードで電動送風機２を運転しているときに、切スイッチ（スイッチＳＷ４）の操作を入力電圧から検知すると（Ｓ１３）、強モードの運転中からの切りかどうかを判定する（Ｓ１４）。強モードからの切りではないと判定したときは、弱モードの運転中からの切りかどうかを判定する（Ｓ２０−１）。弱モードからの切りと判定したときは、トライアック３３をＯＦＦして電動送風機２の運転を停止し（Ｓ１５）、トランジスタＴＲ１をＯＮして除塵モータ４０の運転を開始する（Ｓ１６）。この時、除塵モータ４０の運転に連動して２次フィルタ部５が回転するため、２次フィルタ部５のプリーツ状の微細フィルタ１４に除塵板１５が当たり、微細フィルタ１４の凹みの部分に付着した塵埃を落下させる。一方、マイコン２９は、除塵動作時間が経過したかどうかを判定しており（Ｓ１７）、除塵動作時間の経過を検知したときは、トランジスタＴＲ１をＯＦＦして除塵モータ４０の運転を停止し（Ｓ１８）、前述した動作を終了する（Ｓ１９）。
【００３４】
また、マイコン２９は、操作部６からの入力電圧より、ナイトスイッチ（スイッチＳＷ３のナイト）が操作されたことを検知すると（Ｓ１０−１）、除塵モータ４０の停止設定を行い（Ｓ１１）、電動送風機２がナイトモードで運転されるようにトライアック３３を制御する（Ｓ９−１）。このナイトモードは、弱モードより出力の低いモードである。ナイトモードで電動送風機２を運転しているときに、切スイッチ（スイッチＳＷ４）の操作を入力電圧から検知すると（Ｓ１３）、強モードの運転中からの切りかどうかを判定する（Ｓ１４）。強モードからの切りではないと判定したときは、弱モードの運転中からの切りかどうかを判定する（Ｓ２０−１）。弱モードからの切りではないと判定したときは、ナイトモードの運転中からの切りかどうかを判定する（Ｓ２１−１）。ナイトモードからの切りと判定したときは、トライアック３３をＯＦＦして電動送風機２の運転を停止し（Ｓ２２）、前述した動作を終了する（Ｓ１９）。
【００３５】
以上のように実施の形態３によれば、強モードで運転している電動送風機２を停止させたとき、また、弱モードで運転している電動送風機２を停止させたとき自動的に除塵モータ４０を運転し、電動送風機２をナイトモードで運転しているときに停止させた場合は除塵モータ４０の運転を行わないようにしているので、除塵のための操作の煩わしさがなくなり、騒音を気にする時間帯で掃除を行うときに選択されるナイトモードでの運転後の除塵による騒音をなくすことができる。また、ナイトモードでの運転後には自動的に除塵を行わないようにしているので、電力消費の節約も可能になる。
【００３６】
実施の形態４．
図１１は本発明の実施の形態４に係る電気掃除機の操作部を示す斜視図である。なお、実施の形態４に係る電気掃除機の構成は、図１〜図５で説明した実施の形態１と同様である。
図中に示す操作部６は、実施の形態１と同様にホース３に設けられている。この操作部６のスイッチＳＷ１は、ブラシモータ３７をＯＮ／ＯＦＦさせるスイッチであり、スイッチＳＷ２は、電動送風機２の運転モードの強・中・弱を選択するスイッチである。１回押したときは強モードが選択され、強モードが選択されているときにもう一回押したときは中モードに切り替わり、さらに、３回目を押したときは中モードから弱モードに切り替わる。スイッチＳＷ３は、お掃除センサを選択するスイッチであり、スイッチＳＷ４は、電動送風機２の運転を停止させるスイッチである。前述のお掃除センサは、自動的に消費電力の制御を行うモードである。
【００３７】
実施の形態４の電気掃除機のマイコン２９は、強モード或いは中モードで電動送風機２を運転する際、除塵モータ４０の運転設定を行い、その何れかのモードで電動送風機２を運転しているときに切スイッチの操作を検知したときは、電動送風機２の運転を停止した後に除塵モータ４０の運転を開始する。また、弱モードで電動送風機２を運転する際、除塵モータ４０の停止設定を行い、その弱モードで電動送風機２を運転しているときに切スイッチの操作を検知したときは、除塵モータ４０の運転を行うことなく電動送風機２の運転を停止する。また、このマイコン２９は、お掃除センサモード（床面の種類に応じた出力）で吸引風を発生している電動送風機２が停止されたとき、除塵モータ４０を動作させないようにする除塵制御手段を備えている。前述のお掃除センサモードは、ブラシモータ３７に流れる電流から床面の種類（床板、畳、絨毯等）を判定し、判定結果に応じた出力で電動送風機２を運転するモードである。
【００３８】
次に、実施の形態４の動作を図１２のフローチャートに基づいて説明する。
図１２は実施の形態４に係る電気掃除機の動作を示すフローチャートである。なお、図７で説明した実施の形態１のフローチャートと異なる部分を説明する。
マイコン２９は、操作部６からの入力電圧より、強スイッチ或いは中スイッチ（スイッチＳＷ２の強又は中）の何れかが操作されたことを検知すると（Ｓ３−１）、除塵モータ４０の運転設定を行い（Ｓ４）、電動送風機２が強モード或いは中モードで運転されるようにトライアック３３を制御する（Ｓ５−１）。この何れかのモードで電動送風機２を運転しているときに、切スイッチ（スイッチＳＷ４）の操作を入力電圧から検知すると（Ｓ１３）、強モード或いは中モードの運転からの切りと判定したときは、前述したように、トライアック３３をＯＦＦして電動送風機２の運転を停止し（Ｓ１５）、トランジスタＴＲ１をＯＮして除塵モータ４０の運転を開始する（Ｓ１６）。この後の動作は実施の形態１と同様である。
【００３９】
また、マイコン２９は、操作部６からの入力電圧より、弱スイッチ（スイッチＳＷ２の弱）が操作されたことを検知したときは（Ｓ７−１）、除塵モータ４０の停止設定を行い（Ｓ８）、電動送風機２が弱モードで運転されるようにトライアック３３を制御する（Ｓ９−１）。弱モードで電動送風機２を運転しているときに、切スイッチ（スイッチＳＷ４）の操作を入力信号から検知すると（Ｓ１３）、強モード或いは中モードの運転中からの切りかどうかを判定する（Ｓ１４−１）。何れのモードからの切りではないと判定したときは、弱モードの運転中からの切りかどうかを判定する（Ｓ２０−１）。弱モードからの切りと判定したときは、トライアック３３をＯＦＦして電動送風機２の運転を停止し（Ｓ２２）、前述した動作を終了する（Ｓ１９）。
【００４０】
また、マイコン２９は、操作部６からの入力電圧より、お掃除センサスイッチ（スイッチＳＷ３）が操作されたことを検知したときは（Ｓ１０−２）、除塵モータ４０の停止設定を行い（Ｓ１１）、電動送風機２がお掃除センサモードで運転されるようにトライアック３３を制御する（Ｓ１２−２）。お掃除センサモードで電動送風機２を運転しているときに、切スイッチ（スイッチＳＷ４）の操作を入力信号から検知すると（Ｓ１３）、前述の如く強モード或いは中モードの運転中からの切りかどうかを判定し（Ｓ１４−１）、何れのモードからの切りではないと判定したときは、弱モードの運転中からの切りかどうかを判定する（Ｓ２０−１）。弱モードからの切りではないと判定したときは、お掃除センサモードの運転中からの切りかどうかを判定する（Ｓ２１−１）。お掃除センサモードの切りと判定したときは、トライアック３３をＯＦＦして電動送風機２の運転を停止し（Ｓ２２）、前述した動作を終了する（Ｓ１９）。
【００４１】
以上のように実施の形態４によれば、強モード或いは中モードで運転している電動送風機２を停止させたとき自動的に除塵モータ４０を運転し、弱モード或いはお掃除センサモードで運転している電動送風機２を停止させたときは除塵モータ４０の運転を行わないようにしているので、除塵のための操作の煩わしさがなくなり、騒音を気にする時間帯で掃除を行うときに選択される弱モード或いはお掃除センサモードでの運転後の除塵による騒音をなくすことができる。また、弱モード或いはお掃除センサモードでの運転後には自動的に除塵を行わないようにしているので、電力消費の節約も可能になる。
【図面の簡単な説明】
【００４２】
【図１】本発明の実施の形態１に係る電気掃除機の外管を示す斜視図である。
【図２】掃除機本体を上から見て示す断面図である。
【図３】実施の形態１に係る電気掃除機の２次フィルタ部周辺の構成を示す斜視図である。
【図４】２次フィルタ部周辺をより立体的に示す斜視図である。
【図５】実施の形態１に係る電気掃除機の回路図である。
【図６】実施の形態１に係る電気掃除機の操作部を示す斜視図である。
【図７】実施の形態１に係る電気掃除機の動作を示すフローチャートである。
【図８】実施の形態２に係る電気掃除機の動作を示すフローチャートである。
【図９】本発明の実施の形態３に係る電気掃除機の操作部を示す斜視図である。
【図１０】実施の形態３に係る電気掃除機の動作を示すフローチャートである。
【図１１】本発明の実施の形態４に係る電気掃除機の操作部を示す斜視図である。
【図１２】実施の形態４に係る電気掃除機の動作を示すフローチャートである。
【符号の説明】
【００４３】
１  掃除機本体、２  電動送風機、３  ホース、４  集塵室、５  ２次フィルタ部、
６  操作部、７  接続部、８  吸込み具、９  延長管、１１  本体吸気口、１２  連結風路、１３  １次フィルタ部、１４  微細フィルタ、１５  除塵板、１６  カバー、
１７  バイパス風路、１８  塵戻し口、１９  風路、２９  マイクロコンピュータ、
３７  ブラシモータ、４０  除塵モータ。
【図１】
2010068986.tif 000003
【図２】
2010068986.tif 000004
【図３】
2010068986.tif 000005
【図４】
2010068986.tif 000006
【図５】
2010068986.tif 000007
【図６】
2010068986.tif 000008
【図７】
2010068986.tif 000009
【図８】
2010068986.tif 000010
【図９】
2010068986.tif 000011
【図１０】
2010068986.tif 000012
【図１１】
2010068986.tif 000013
【図１２】
2010068986.tif 000014